(57)【要約】【課題】陸屋根部と傾斜屋根部とが組み合わされた屋根について、防水処理を行う際の作業負担を低減する。【解決手段】建物１０は屋根１３を有しており、屋根１３は、陸屋根部１３ａと傾斜屋根部１３ｂとパラペット１３ｃとを有している。建物１０は、側方に向けて張り出した張出部１７を有しており、建物１０の外周面には、張出部１７の付け根部分に沿って上下方向に延びる入隅目地１９ａ及び中間目地が設けられている。建物１０は、陸屋根部１３ａと傾斜屋根部１３ｂとの境界部を跨ぐ跨ぎユニット２０Ａと、その跨ぎユニット２０Ａに隣り合う横並びユニット２０Ｂとを有しており、中間目地は、跨ぎユニット２０Ａの一側面に配置される一方で、入隅目地１９ａは、跨ぎユニット２０Ａと横並びユニット２０Ｂとの境界部に配置されている。パラペット１３ｃは、入隅目地１９ａ及び中間目地の上端部を覆う笠木を有している。【選択図】      図１
2015175210.tif 000002
【特許請求の範囲】
【請求項１】
陸屋根部と傾斜屋根部とが隣接して配置された建物の屋根構造において、
前記陸屋根部の周縁部のうち前記傾斜屋根部との境界部まで延びるようにして設けられた第１壁部と、
前記傾斜屋根部の周縁部のうち前記陸屋根部との境界部から傾斜方向に延びるようにして設けられた第２壁部と、
前記第１壁部と前記第２壁部との境界部を上方から覆う笠木部と、
を備えていることを特徴とする建物の屋根構造。
【請求項２】
前記建物は、建物ユニットを複数組み合わせて構築されたユニット式建物であり、
前記複数の建物ユニットには、前記第１壁部を有する第１ユニットと、該第１ユニットに横並びに隣り合い且つ前記第２壁部を有する第２ユニットとが含まれており、
前記第１ユニット及び前記第２ユニットは、これら第１ユニットと第２ユニットとの境界部が、平面視で前記陸屋根部と前記傾斜屋根部との境界部に交差するように又は該境界部に沿って延びるように配置されていることを特徴とする請求項１に記載の建物の屋根構造。
【請求項３】
前記第１壁部は、互いに対向する一対の第１壁面材と、前記一対の第１壁面材の間に設けられ且つ該第１壁面材が取り付けられた第１壁下地とを有しており、
前記第２壁部は、互いに対向する一対の第２壁面材と、前記一対の第２壁面材の間に設けられ且つ該第２壁面材が取り付けられた第２壁下地とを有しており、
前記第１壁下地と前記第２壁下地とを連結する連結下地が、前記第１ユニットと前記第２ユニットとの境界部を跨いだ状態で設けられていることを特徴とする請求項２に記載の建物の屋根構造。
【請求項４】
前記第１ユニットと前記第２ユニットとは、これら第１ユニットと第２ユニットとの境界部を跨いだ状態でそれぞれのユニット躯体の上面に重ねられた連結プレートにより連結されており、
前記連結下地は、前記連結プレートの上に設けられ、該連結プレートの上面に固定されていることを特徴とする請求項３に記載の建物の屋根構造。
【請求項５】
前記第１ユニット及び前記第２ユニットは、前記第１ユニットが前記陸屋根部と前記傾斜屋根部との境界部を跨ぐ位置に配置され、前記第２ユニットが前記陸屋根部側において該陸屋根部と前記傾斜屋根部との境界部を跨がない位置に配置されていることで、これら第１ユニットと第２ユニットとの境界部が平面視で前記陸屋根部と前記傾斜屋根部との境界部に交差するように配置されており、
前記連結プレートは、前記陸屋根部と前記傾斜屋根部との境界部を跨がない位置において、前記陸屋根部において前記第１ユニットと前記第２ユニットとに掛け渡されていることを特徴とする請求項４に記載の建物の屋根構造。
【請求項６】
前記連結下地は、
前記第２ユニット側において前記連結プレートの上に立設された脚部と、
前記脚部の上端部から前記第１ユニット側に向けて延び、前記第２ユニットと前記第１ユニットとの境界部を跨いだ状態で前記第１壁下地に接続された腕部と、
を有しており、
前記一対の第１壁面材のうち前記第１壁下地の内側に設けられた内側第１壁面材は、前記第２ユニットと前記第１ユニットとの境界部を跨いだ状態で前記脚部及び前記腕部の両方に対して固定されており、
前記一対の第２壁面材のうち前記第２壁下地の内側に設けられた内側第２壁面材は、前記陸屋根部と前記傾斜屋根部との境界部を跨いだ状態で前記脚部に対して固定されていることを特徴とする請求項５に記載の建物の屋根構造。
【請求項７】
前記第１壁部と前記第２壁部とは、それぞれの上端部が互いに接続されていることを特徴とする請求項１乃至６のいずれか１項に記載の建物の屋根構造。
【請求項８】
前記建物の外周面は、横並びに設けられた複数の壁面材により形成されており、
前記複数の壁面材には、前記第１壁部の壁面を形成する第１壁面材と、前記第２壁部の壁面を形成する第２壁面材とが含まれており、
前記第１壁部と前記第２壁部との境界部には、前記第１壁面材と前記第２壁面材との間に形成された縦目地が設けられていることを特徴とする請求項１乃至７のいずれか１項に記載の建物の屋根構造。
【請求項９】
前記第１壁部及び前記第２壁部は、前記建物の外壁部の上に設けられており、
前記第１壁面材及び前記第２壁面材は、前記第１壁部及び前記第２壁部の各壁面に加えて、前記外壁部の外壁面を形成する外壁面材であることを特徴とする請求項８に記載の建物の屋根構造。
【発明の詳細な説明】
【技術分野】
【０００１】
本発明は、建物の屋根構造に関する。
【背景技術】
【０００２】
住宅等の建物には、屋根部が陸屋根とされ、陸屋根の周縁にパラペット等の起立壁が設けられている場合がある。起立壁の上端には笠木が設けられ、雨水が壁内に浸入するのを防止している（例えば特許文献１参照）。
【先行技術文献】
【特許文献】
【０００３】
【特許文献１】特開平５−３１１８２０号公報
【発明の概要】
【発明が解決しようとする課題】
【０００４】
ここで、屋根のバリエーションは豊富であり、例えば、建物本体の上に、陸屋根に加えてその陸屋根から斜め下方に向けて延びている傾斜屋根が設けられる場合もある。しかしながら、陸屋根と傾斜屋根との境界部、特に周縁部分において防水性を確保するための処理は複雑なものとなり、作業負担が大きい。
【０００５】
本発明は、上記事情に鑑みてなされたものであり、陸屋根部と傾斜屋根部とが組み合わされた屋根について、防水処理を行う際の作業負担を低減することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００７】
第１の発明の建物の屋根構造は、陸屋根部（陸屋根部１３ａ）と傾斜屋根部（傾斜屋根部１３ｂ）とが隣接して配置された建物の屋根構造において、前記陸屋根部の周縁部のうち前記傾斜屋根部との境界部まで延びるようにして設けられた第１壁部（陸側本体部４７）と、前記傾斜屋根部の周縁部のうち前記陸屋根部との境界部から傾斜方向に延びるようにして設けられた第２壁部（傾斜側本体部４８）と、前記第１壁部と前記第２壁部との境界部を上方から覆う笠木部（笠木４４）と、を備えていることを特徴とする。
【０００８】
第１の発明によれば、陸屋根部の第１壁部に加え、傾斜屋根部にも第２壁部を設けることにより、陸屋根部と傾斜屋根部との境界部を笠木部によって覆うことができる。そのため、境界部からの雨水の浸入を容易に防止することができる。
【０００９】
第２の発明では、第１の発明において、前記建物は、建物ユニット（建物ユニット２０）を複数組み合わせて構築されたユニット式建物であり、前記複数の建物ユニットには、前記第１壁部を有する第１ユニット（横並びユニット２０Ｂ）と、該第１ユニットに横並びに隣り合い且つ前記第２壁部を有する第２ユニット（跨ぎユニット２０Ａ）とが含まれており、前記第１ユニット及び前記第２ユニットは、これら第１ユニットと第２ユニットとの境界部が、平面視で前記陸屋根部と前記傾斜屋根部との境界部に交差するように又は該境界部に沿って延びるように配置されている。
【００１０】
ユニット式建物については、建物ユニットを用いることにより工業化を実現できるが、建物ユニット同士の境界部に対する防水処理は建築現場で行わざるを得ないため、この防水処理が複雑な作業であるほど防水性が低下することが懸念される。
【００１１】
これに対して、第２の発明によれば、建物の外周面においては、第１壁部と第２壁部との境界部が第１ユニットと第２ユニットとの境界部に重なっているため、これら境界部に対しては第１壁部及び第２壁部に笠木部を取り付けるという容易な作業により、防水処理を施すことができる。したがって、笠木部により、陸屋根部と傾斜屋根部との境界部からの雨水の浸入に加えて、第１ユニットと第２ユニットとの境界部からの雨水の浸入を容易に防止することができる。
【００１２】
第３の発明では、第２の発明において、前記第１壁部は、互いに対向する一対の第１壁面材（第１パネル３２ａの外側パラペット面材６２、内側パラペット面材６３）と、前記一対の第１壁面材の間に設けられ且つ該第１壁面材が取り付けられた第１壁下地（陸側フレーム部６５ａ）とを有しており、前記第２壁部は、互いに対向する一対の第２壁面材（第２パネル３２ｂの外側パラペット面材６２、内側パラペット面材６３）と、前記一対の第２壁面材の間に設けられ且つ該第２壁面材が取り付けられた第２壁下地（傾斜側フレーム部６５ｂ）とを有しており、前記第１壁下地と前記第２壁下地とを連結する連結下地（連結フレーム部６５ｃ）が、前記第１ユニットと前記第２ユニットとの境界部を跨いだ状態で設けられている。
【００１３】
第３の発明によれば、第１壁下地と第２壁下地とを連結している連結下地が、第１ユニットと第２ユニットとに掛け渡されているため、第１壁下地と第２壁下地とを強固に接続することができる。この場合、第１壁面材に対する第２壁面材の相対的な移動が連結下地により阻止されるため、第１壁部と第２壁部との境界部において防水性が低下することを抑制できる。
【００１４】
第４の発明では、第３の発明において、前記第１ユニットと前記第２ユニットとは、これら第１ユニットと第２ユニットとの境界部を跨いだ状態でそれぞれのユニット躯体（ユニット躯体３１）の上面に重ねられた連結プレート（連結プレート３９）により連結されており、前記連結下地は、前記連結プレートの上に設けられ、該連結プレートの上面に固定されている。
【００１５】
第４の発明によれば、連結下地が連結プレートに固定されているため、これら連結下地と連結プレートとを一体化して例えば連結ユニットを製作しておくことが可能となる。この場合、連結ユニットを用いて建物ユニット同士の連結作業を行うことが、連結下地を建物ユニット同士の境界部を跨ぐ位置に配置することになるため、連結プレートと連結下地とを別々に取り付ける場合に比べて、第１壁部及び第２壁部の構築作業を容易化できる。
【００１６】
第５の発明では、第４の発明において、前記第１ユニット及び前記第２ユニットは、前記第１ユニットが前記陸屋根部と前記傾斜屋根部との境界部を跨ぐ位置に配置され、前記第２ユニットが前記陸屋根部側において該陸屋根部と前記傾斜屋根部との境界部を跨がない位置に配置されていることで、これら第１ユニットと第２ユニットとの境界部が平面視で前記陸屋根部と前記傾斜屋根部との境界部に交差するように配置されており、前記連結プレートは、前記陸屋根部と前記傾斜屋根部との境界部を跨がない位置において、前記陸屋根部において前記第１ユニットと前記第２ユニットとに掛け渡されている。
【００１７】
第５の発明によれば、第２ユニットに対して第１ユニットが陸屋根部側にオフセットした位置に配置されているため、陸屋根部側においては、第１ユニットと第２ユニットの各ユニット躯体の上面同士を面一に配置できる。したがって、これら上面に連結プレートを容易に掛け渡すことができる。この場合、例えば、隣り合う建物ユニットの柱同士を連結するドッキングプレートを連結プレートとしてそのまま使用することが可能であるため、コスト負担を低減できる。
【００１８】
第６の発明では、第５の発明において、前記連結下地は、前記第２ユニット側において前記連結プレートの上に立設された脚部（脚部７１）と、前記脚部の上端部から前記第１ユニット側に向けて延び、前記第２ユニットと前記第１ユニットとの境界部を跨いだ状態で前記第１壁下地に接続された腕部（腕部７２）と、を有しており、前記一対の第１壁面材のうち前記第１壁下地の内側に設けられた内側第１壁面材（第２パネル３２ｂの外側パラペット面材６２）は、前記第２ユニットと前記第１ユニットとの境界部を跨いだ状態で前記脚部及び前記腕部の両方に対して固定されており、前記一対の第２壁面材のうち前記第２壁下地の内側に設けられた内側第２壁面材（第１パネル３２ａの外側パラペット面材６２）は、前記陸屋根部と前記傾斜屋根部との境界部を跨いだ状態で前記脚部に対して固定されている。
【００１９】
第６の発明によれば、連結ユニットにより、第２ユニットと第１ユニットとを連結すること、及び第１壁下地と第２壁下地とを連結することに加えて、屋根のコーナー部分において内側第１壁面材及び内側第２壁面材の取付下地を形成することが可能となる。したがって、第１壁部及び第２壁部の構築に際して建築現場での作業工数を更に低減することができる。
【００２０】
第７の発明では、第１乃至第６のいずれかの発明において、前記第１壁部と前記第２壁部とは、それぞれの上端部が互いに接続されている。
【００２１】
第７の発明によれば、陸屋根部と傾斜屋根部との境界部において、第１壁部の上端面と第２壁部の上端面との間に段差が形成されていないため、例えば第１壁部と第２壁部との間に段差が生じている構成に比べて、第１壁部と第２壁部との境界部を壁幅方向に跨いだ状態で笠木を設置することが容易になる。
【００２２】
なお、第１壁部の上端面と前記第２壁部の上端面とが同一平面を形成していることが好ましい。この構成によれば、笠木において第１壁部と第２壁部との境界部に重なる部分を、上下方向に折り曲がった形状にする必要がないため、汎用品を笠木として使用することができる。したがって、笠木の設置に関してコスト負担を低減できる。
【００２３】
第８の発明では、第１乃至第７のいずれかの発明において、前記建物の外周面は、横並びに設けられた複数の壁面材（外壁面材３６）により形成されており、前記複数の壁面材には、前記第１壁部の壁面を形成する第１壁面材（第１パネル３２ａの外壁面材３６）と、前記第２壁部の壁面を形成する第２壁面材（第２パネル３２ｂの外壁面材３６）とが含まれており、前記第１壁部と前記第２壁部との境界部には、前記第１壁面材と前記第２壁面材との間に形成された縦目地（入隅目地１９ａ、中間目地１９ｂ）が設けられている。
【００２４】
隣り合う壁面材の間に縦目地が形成されている構成では、縦目地の上端面に対する防水処理が複雑になることや、その防水処理が熟練性を必要とするものになることが懸念される。
【００２５】
これに対して、第８の発明によれば、笠木部を設置するという容易な作業により、縦目地の上端面に対して防水処理を施すことができる。したがって、縦目地からの雨水の浸入を容易に防止することができる。
【００２６】
第９の発明では、第８の発明において、前記第１壁部及び前記第２壁部は、前記建物の外壁部（外壁部１６）の上に設けられており、前記第１壁面材及び前記第２壁面材は、前記第１壁部及び前記第２壁部の各壁面に加えて、前記外壁部の外壁面を形成する外壁面材である。
【００２７】
第９の発明によれば、第１壁面材及び第２壁面材が外壁部と屋根との境界部を上下に跨いだ状態で設けられているため、縦目地には、外壁部と屋根とに掛け渡すようにガスケット等の防水部材を取り付けることができる。この場合、防水部材を用いることで外壁部と屋根とで縦目地に対する防水処理をまとめて施すことができるため、笠木部による防水性が外壁部の上端にも付与されることになる。
【図面の簡単な説明】
【００２８】
【図１】建物の概略構成を示す図
【図２】第２ユニット及び横並びユニットの構成を示す斜視図
【図３】パラペットの入隅部分周辺においての内部構造を示す斜視図
【図４】パラペットの入隅部分周辺の横断面図
【図５】陸屋根部と傾斜屋根部との境界部周辺の斜視図
【図６】パラペット周辺の縦断面図
【発明を実施するための形態】
【００２９】
以下、本発明を具体化した一実施形態について図面を参照しつつ説明する。本実施形態では、本発明の屋根構造を、鉄骨ラーメン構造を有する二階建てのユニット式建物において具体化している。まず、ユニット式建物の構成について、図１、図２を参照しつつ説明する。図１は建物１０の概略構成を示す図、図２は跨ぎユニット２０Ａ及び横並びユニット２０Ｂの構成を示す斜視図である。なお、図１においては、（ａ）に建物１０の斜視図を示し、（ｂ）に傾斜屋根部１３ｂ周辺の分解斜視図を示し、（ｃ）に傾斜屋根部１３ｂ周辺の斜視図を示す。
【００３０】
図１（ａ）に示すように、住宅等の建物１０は、基礎１１の上に設けられた建物本体１２と、建物本体１２の上に設けられた屋根１３とを有している。建物本体１２は、一階部分１４及び二階部分１５を有している。また、建物本体１２の外周面は外壁部１６により形成されている。
【００３１】
建物１０は、側方に向けて張り出した張出部１７を有している。張出部１７は、基礎１１から上方に向けて延びた状態で一階部分１４、二階部分１５及び屋根１３のそれぞれを構成している。張出部１７は、平面視において建物１０の一側面が部分的に張り出したものであり、別の見方をすれば、建物１０の一側面が屋内側に向けて部分的に凹むことで張出部１７が形成されているとも言える。この場合、凹んだ部分により入隅部分１７ａが形成されており、入隅部分１７ａは、張出部１７の幅方向において張出部１７の両端側のうち一端側にだけ設けられ、他端側には設けられていない。
【００３２】
建物１０の外周面には、入隅部分１７ａにおいて互いに交差している第１側面１８ａ及び第２側面１８ｂと、張出部１７を挟んで入隅部分１７ａとは反対側に配置された第３側面１８ｃ（図５（ｂ）参照）とが含まれている。第２側面１８ｂ及び第３側面１８ｃは、張出部１７の張り出し方向に延びており、第１側面１８ａは、その張り出し方向に交差する方向に延び且つ第２側面１８ｂに接続されている。第３側面１８ｃは、張出部１７の張り出し方向においてその張出部１７の付け根部分を壁幅方向に跨いだ状態になっている。
【００３３】
入隅部分１７ａにおいて、第１側面１８ａと第２側面１８ｂとの境界部には、上下方向に延びた入隅目地１９ａが形成されている。第３側面１８ｃにおいて、壁幅方向の中間位置には、上下方向に延びた中間目地１９ｂ（図５（ｂ）参照）が形成されている。入隅目地１９ａ及び中間目地１９ｂは、いずれも張出部１７の付け根部分に設けられており、その張出部１７の幅方向に沿って横並びに配置されている。
【００３４】
屋根１３は、陸屋根を形成している陸屋根部１３ａと、その陸屋根部１３ａから斜め下方に向けて延びていることで傾斜屋根を形成している傾斜屋根部１３ｂと、建物本体１２の外周面に沿って延びているパラペット１３ｃとを有している。陸屋根部１３ａ及び傾斜屋根部１３ｂの各上面は屋根面を形成しており、陸屋根部１３ａの屋根面は所定の水勾配を有し、傾斜屋根部１３ｂの屋根面は陸屋根部１３ａの水勾配より大きい傾斜角度を有している。
【００３５】
張出部１７の上には、傾斜屋根部１３ｂが設けられている一方で、陸屋根部１３ａは設けられておらず、陸屋根部１３ａと傾斜屋根部１３ｂとの境界部は、張出部１７の付け根部分に沿って延びている。傾斜屋根部１３ｂは、張出部１７の張り出し方向において陸屋根部１３ａから斜め下方に向けて延びている。この場合、陸屋根部１３ａと傾斜屋根部１３ｂとの境界部は、入隅目地１９ａと中間目地１９ｂとの並び方向に沿って延びていることになる。
【００３６】
パラペット１３ｃは、外壁部１６の上方位置に設けられており、屋根１３の周縁部に沿って延びていることで外壁部１６と共に建物１０の外周面を形成している。パラペット１３ｃは、屋根１３の周縁部の全てに配置されているわけではなく、屋根１３の周縁部のうち、陸屋根部１３ａの周縁部に含まれる部分に配置されている一方で、傾斜屋根部１３ｂの周縁部に含まれる部分にはその一部にだけ配置されている。傾斜屋根部１３ｂにおいては、傾斜している傾斜辺の上端側にだけパラペット１３ｃが配置されており、その傾斜辺の中央部分や下端側にはパラペット１３ｃが配置されていない。
【００３７】
屋根１３においては、パラペット１３ｃが陸屋根部１３ａの上方空間を四方から囲んだ状態になっている一方で、その上方空間が傾斜屋根部１３ｂ（張出部１７）側に向けて開放された状態になっている。この場合、屋根１３の周縁部に沿って延びているパラペット１３ｃは２つの端部を有しており、これら端部はいずれも張出部１７に含まれ、張出部１７の幅方向に沿って並べられている。パラペット１３ｃにおいて、張出部１７の付け根部分を跨いだ位置には、その外周面に入隅目地１９ａ及び中間目地１９ｂが形成されている。パラペット１３ｃにおいては、張出部１７の張り出しに合わせて折れ曲がったコーナー部分を有しており、そのコーナー部分の入隅側に入隅目地１９ａが設けられている。
【００３８】
建物１０は、複数の建物ユニット２０が組み合わされることで構築されており、建物本体１２は、一階部分１４及び二階部分１５のそれぞれにおいて複数の建物ユニット２０を有している。各建物ユニット２０は、全体として直方体状に形成されている。
【００３９】
図１（ａ）〜（ｃ）に示すように、二階部分１５に配置された各建物ユニット２０には、陸屋根部１３ａと傾斜屋根部１３ｂとの境界部を跨いだ状態で設けられた跨ぎユニット２０Ａと、その境界線が延びる方向において跨ぎユニット２０Ａに横並びに設けられた横並びユニット２０Ｂとが含まれている。横並びユニット２０Ｂは、陸屋根部１３ａ側において、この陸屋根部１３ａと傾斜屋根部１３ｂとの境界部を跨がない位置に配置されている。横並びユニット２０Ｂが第１ユニットに相当し、跨ぎユニット２０Ａが第２ユニットに相当する。
【００４０】
跨ぎユニット２０Ａは、上面の一部が傾斜しているカットユニットとされている。跨ぎユニット２０Ａにおいては、上面が水平方向に延びている水平部分３０ａと、上面が水平方向に対して傾斜している傾斜部分３０ｂとが、跨ぎユニット２０Ａの短手方向に横並びに配置されている。この場合、水平部分３０ａが陸屋根部１３ａを形成し、傾斜部分３０ｂが傾斜屋根部１３ｂを形成している。
【００４１】
建物１０においては、横並びユニット２０Ｂが跨ぎユニット２０Ａに対して陸屋根部１３ａ側にオフセットした位置に配置されており、跨ぎユニット２０Ａの傾斜部分３０ｂが、横並びユニット２０Ｂより側方に突出していることで張出部１７を形成している。また、横並びユニット２０Ｂの長辺部の側面と跨ぎユニット２０Ａの短辺部の側面とが交差した部分により入隅部分１７ａが形成されている。
【００４２】
横並びユニット２０Ｂにおいては、その長手寸法が跨ぎユニット２０Ａの長手寸法と同じにされている一方で、その短手寸法が跨ぎユニット２０Ａの水平部分３０ａの短手寸法と同じにされている。この場合、横並びユニット２０Ｂの短手寸法が跨ぎユニット２０Ａの短手寸法の１／２とされており、横並びユニット２０Ｂをハーフユニットと称することができる。
【００４３】
図２に示すように、横並びユニット２０Ｂは、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００４４】
横並びユニット２０Ｂにおいて長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。なお、天井小梁２５によって天井面材が支持され、床小梁２６によって床面材が支持されている。
【００４５】
横並びユニット２０Ｂにおいては、柱２１、天井大梁２２及び床大梁２３により形成された骨格がユニット躯体３１とされており、このユニット躯体３１が建物躯体を構成している。
【００４６】
跨ぎユニット２０Ａは、基本的に横並びユニット２０Ｂと同じ構成とされているが、ユニット躯体３１の構成などが横並びユニット２０Ｂとは異なっている。ここでは、跨ぎユニット２０Ａについて、横並びユニット２０Ｂとの相違点を中心に説明する。
【００４７】
跨ぎユニット２０Ａにおいては、短手方向に延びる一対の天井大梁２２が、水平部分３０ａに含まれる水平梁部２２ａと、傾斜部分３０ｂに含まれる傾斜梁部２２ｂとを有している。水平梁部２２ａは陸屋根部１３ａに沿って延びており、傾斜梁部２２ｂは傾斜屋根部１３ｂに沿って延びている。水平梁部２２ａ及び傾斜梁部２２ｂは、いずれも断面コ字状の溝形鋼により形成されており、水平梁部２２ａの一端に傾斜梁部２２ｂの上端が接続されている。水平梁部２２ａと傾斜梁部２２ｂとは、張出部１７の付け根部分において接続されている。
【００４８】
なお、跨ぎユニット２０Ａにおいて短手方向に隣り合う柱２１のうち、傾斜梁部２２ｂが接続された柱２１は、水平梁部２２ａが接続された柱２１より高さ寸法が小さくされている。また、長手方向に延びる一対の天井大梁２２のうち、傾斜梁部２２ｂ側に配置された方の天井大梁２２は、水平梁部２２ａ側に配置された方の天井大梁２２より低い位置に配置されている。
【００４９】
跨ぎユニット２０Ａは、短手方向に延びる一対の天井大梁２２の中間位置に接続された中間梁２４を有している。中間梁２４は、断面コ字状の溝形鋼により形成されており、張出部１７の幅方向に延びている。中間梁２４は、張出部１７に含まれた位置において、一対の天井大梁２２の水平梁部２２ａの端部同士を連結している。
【００５０】
跨ぎユニット２０Ａ及び横並びユニット２０Ｂは、短辺部同士が平行に延びる向きで配置されており、横並びユニット２０Ｂは、跨ぎユニット２０Ａの水平梁部２２ａ（水平部分３０ａ）に対向している。この場合、横並びユニット２０Ｂにおいて短手方向に隣り合う柱２１のうち一方の柱２１は、跨ぎユニット２０Ａの柱２１に隣接している一方で、他方の柱２１は、跨ぎユニット２０Ａの水平梁部２２ａに隣接している。
【００５１】
次に、陸屋根部１３ａと傾斜屋根部１３ｂとの境界部周辺の構成について、図１〜図６を参照しつつ説明する。図３はパラペット１３ｃの入隅部分１７ａ周辺において屋根１３の内部構造を示す斜視図、図４はパラペット１３ｃの入隅部分１７ａ周辺の横断面図、図５は陸屋根部１３ａと傾斜屋根部１３ｂとの境界部周辺の斜視図、図６はパラペット１３ｃ周辺の縦断面図である。なお、図３には、パラペット１３ｃを陸屋根部１３ａ側から見た図を示しており、屋根防水シート４１や内側パラペット面材６３などの図示を省略している。図５においては、（ａ）に入隅目地１９ａを示し、（ｂ）に中間目地１９ｂを示す。図６においては、（ａ）に図４のＡ−Ａ線断面図として陸側フレーム部６５ａ周辺の縦断面図を示し、（ｂ）に図４のＢ−Ｂ線断面図として連結フレーム部６５ｃ周辺の縦断面図を示す。
【００５２】
図３に示すように、跨ぎユニット２０Ａ及び横並びユニット２０Ｂは、ユニット躯体３１に加えて、そのユニット躯体３１に取り付けられた外壁パネル３２及び屋根パネル３３をそれぞれ有している。
【００５３】
外壁パネル３２は、建物１０において壁幅方向に沿って横並びに複数設けられており、ユニット躯体３１の外周側に配置されている。外壁パネル３２は、ユニット躯体３１に取り付けられた外壁下地３５と、外壁下地３５に取り付けられた外壁面材３６とを有している。外壁面材３６は、サイディングボード等の外装材により形成されている。跨ぎユニット２０Ａ及び横並びユニット２０Ｂを含む二階部分１５の建物ユニット２０においては、外壁パネル３２がユニット躯体３１より上方に突出しており、その突出した部分がパラペット１３ｃに含まれ、その突出部分より下の部分が外壁部１６に含まれている。
【００５４】
屋根パネル３３は、複数の天井大梁２２に掛け渡された状態でユニット躯体３１の上に設けられている。ただし、屋根パネル３３の角部には、内側に向けて凹んだ凹部３３ａが設けられており、その凹部３３ａにより、柱２１の上には屋根パネル３３が存在しないようになっている。特に、跨ぎユニット２０Ａにおいては、屋根パネル３３が水平梁部２２ａと中間梁２４とに掛け渡された部分を有しており、その部分にも凹部３３ａが形成されている。この場合、凹部３３ａにより、水平梁部２２ａに固定されたスペーサ部材３９ａの上に屋根パネル３３が存在しないようになっている。
【００５５】
なお、図３での図示は省略しているが、屋根パネル３３は、傾斜梁部２２ｂと中間梁２４とに掛け渡された部分も有している。
【００５６】
屋根パネル３３は、ユニット躯体３１の上に設けられた野地板３７と、野地板３７の上に設けられた屋根断熱部３８とを有している（図６参照）。野地板３７は、木材により形成されており、スペーサ等を挟んでユニット躯体３１の上に載せられている。屋根断熱部３８は、ウレタンフォーム等の発泡系断熱材により板状に形成されており、野地板３７の上面に重ねられている。
【００５７】
跨ぎユニット２０Ａと横並びユニット２０Ｂとは、連結プレート３９を介してユニット躯体３１同士で連結されている。連結プレート３９は、跨ぎユニット２０Ａ及び横並びユニット２０Ｂの柱２１同士を連結可能なドッキングプレートとされており、跨ぎユニット２０Ａと横並びユニット２０Ｂとの境界部に沿って延びるドッキングラインＤＬ（図４参照）を跨いだ状態で、これらユニット２０Ａ，２０Ｂの各ユニット躯体３１の上面に固定されている。
【００５８】
横並びユニット２０Ｂの柱２１と跨ぎユニット２０Ａの水平梁部２２ａとが隣接している部分においては、これら柱２１と水平梁部２２ａとが連結プレート３９により連結されている。連結プレート３９は、柱２１の上端面と水平梁部２２ａの上面とのそれぞれに重ねられた状態で、それら柱２１及び水平梁部２２ａにボルト等により固定されている。ここで、水平梁部２２ａの上面は、柱２１の上端面より僅かに低い位置に配置されている。このため、連結プレート３９は板状のスペーサ部材３９ａを介して水平梁部２２ａの上に載せられている。スペーサ部材３９ａは、水平梁部２２ａの上面に重ねられた状態で溶接等により水平梁部２２ａに固定されており、その上面が柱２１の上端面と同じ高さに配置されている。
【００５９】
なお、横並びユニット２０Ｂと跨ぎユニット２０Ａとで柱２１同士が隣接している部分においては、連結プレート３９が、各柱２１の上端面に重ねられた状態で柱２１のそれぞれにボルト等で固定されていることで、これら柱２１を連結している。
【００６０】
図４〜図６に示すように、パラペット１３ｃは、そのパラペット１３ｃの側面を形成するパラペット本体４３と、パラペット本体４３の上端面を覆っている笠木部としての笠木４４とを有している。笠木４４は、壁幅方向に沿って延びており、パラペット本体４３に取り付けられた笠木ホルダ４５により支持されている。笠木ホルダ４５は、パラペット本体４３の上端面に載せられた状態で、その上端面に対してビス等により固定されている。
【００６１】
笠木４４は、断面コ字状に形成されており、下方に向けて開放された溝部を有している。笠木４４は、その溝部内にパラペット本体４３の上端部を入り込ませた状態で設けられており、パラペット１３ｃの壁厚み方向において、笠木４４の溝部の幅寸法はパラペット本体４３の厚み方向より大きくされている。ここで、笠木４４は、パラペット本体４３の上端面に沿って延びている上面部４４ａと、上面部４４ａから下方に向けて延びている一対の側面部４４ｂとを有しており、側面部４４ｂは、壁厚み方向においてパラペット本体４３の側面から離間した位置に配置されている。
【００６２】
パラペット本体４３は、陸屋根部１３ａの周縁部に沿って延びている陸側本体部４７と、傾斜屋根部１３ｂの周縁部に沿って延びている傾斜側本体部４８とを有している。傾斜側本体部４８は、パラペット１３ｃの両端部のそれぞれに配置されており、陸側本体部４７は、パラペット１３ｃの中間位置に配置されている。各傾斜側本体部４８は、陸側本体部４７から傾斜屋根部１３ｂの延出方向（張出部１７の張り出し方向）に沿って側方に向けて延びており、その延出寸法は、傾斜屋根部１３ｂの延出寸法の１／２より小さくされている。陸側本体部４７と傾斜側本体部４８との境界部は、張出部１７の付け根部分に沿って延びている。
【００６３】
パラペット本体４３において陸側本体部４７と傾斜側本体部４８との境界部を示すパラペット境界線Ｘには、張出部１７の付け根部分や、陸屋根部１３ａと傾斜屋根部１３ｂとの境界部が重なっている。
【００６４】
図５（ａ）に示すように、各傾斜側本体部４８のうち一方の傾斜側本体部４８と陸側本体部４７との境界部には、入隅目地１９ａが形成されており、この傾斜側本体部４８は、陸側本体部４７の側面から張出部１７の張り出し方向に延びていることで、パラペット本体４３のコーナー部分を形成している。入隅部分１７ａにおいては、傾斜側本体部４８の外側面が第２側面１８ｂに含まれており、陸側本体部４７の外側面が第１側面１８ａに含まれている。
【００６５】
入隅部分１７ａについて、第１側面１８ａ及び第２側面１８ｂは、外壁部１６及びパラペット本体４３により形成されており、入隅目地１９ａは、外壁部１６に形成された外壁入隅目地５１と、パラペット１３ｃに形成されたパラペット入隅目地５２とを有している。パラペット入隅目地５２は、外壁入隅目地５１から上方に向けて延びており、笠木４４の溝部内に下方から入り込んだ状態になっている。なお、入隅目地１９ａが縦目地に相当する。
【００６６】
建物１０において、横並びに配置された複数の外壁パネル３２には、第１側面１８ａを形成する第１パネル３２ａと、第２側面１８ｂを形成する第２パネル３２ｂとが含まれている。第１パネル３２ａと第２パネル３２ｂとは互いに接続されており、これらパネル３２ａ，３２ｂの間の隙間が入隅目地１９ａとされている。第１パネル３２ａ及び第２パネル３２ｂは、外壁部１６及びパラペット１３ｃの両方に含まれ、外壁面及びパラペット壁面の両方を形成している。なお、横並びユニット２０Ｂが第１パネル３２ａを有しており、跨ぎユニット２０Ａが第２パネル３２ｂを有している。
【００６７】
図３、図４に示すように、入隅部分１７ａにおいては、横並びユニット２０Ｂの第１パネル３２ａがドッキングラインＤＬを跨がない状態で設けられていることに起因して、第１パネル３２ａの外壁面材３６の側端面が、跨ぎユニット２０Ａの第２パネル３２ｂの屋外側面に対向しており、それらの面の間の隙間が入隅目地１９ａとされている。入隅目地１９ａには、防水部材としてのガスケット５３が設けられている。ガスケット５３は、合成樹脂材料やゴム材料等により長尺状に形成されており、入隅目地１９ａにおいて第１パネル３２ａ及び第２パネル３２ｂの各外壁面材３６に密着した状態で設けられている。ガスケット５３は、そのガスケット５３を長手方向に貫通する長孔を有しており、それによって、外壁面材３６の板面や端面に密着しやすい構成になっている。
【００６８】
図５（ｂ）に示すように、張出部１７を挟んで入隅部分１７ａとは反対側において、傾斜側本体部４８と陸側本体部４７との境界部には、中間目地１９ｂが形成されており、この傾斜側本体部４８は、陸側本体部４７の端面から張出部１７の張り出し方向に延びていることで、パラペット本体４３のストレート部分を形成している。張出部１７を挟んで入隅部分１７ａの反対側においては、陸側本体部４７及び傾斜側本体部４８の各外側面が第３側面１８ｃに含まれている。
【００６９】
張出部１７を挟んで入隅部分１７ａとは反対側について、第３側面１８ｃは、第１側面１８ａ及び第２側面１８ｂと同様に、外壁部１６及びパラペット本体４３により形成されており、中間目地１９ｂは、外壁部１６に形成された外壁中間目地５５と、パラペット１３ｃに形成されたパラペット中間目地５６とを有している。パラペット中間目地５６は、外壁中間目地５５から上方に向けて延びており、笠木４４の溝部内に下方から入り込んだ状態になっている。なお、中間目地１９ｂが縦目地に相当する。
【００７０】
建物１０において、横並びに配置された複数の外壁パネル３２には、第３側面１８ｃを形成する２つの第３パネル３２ｃが含まれている。各第３パネル３２ｃは互いに接続されており、これら第３パネル３２ｃの間の隙間が中間目地１９ｂとされている。第３パネル３２ｃは、外壁部１６及びパラペット１３ｃの両方に含まれ、外壁面及びパラペット壁面の両方を形成している。各第３パネル３２ｃは、いずれも跨ぎユニット２０Ａに含まれている。
【００７１】
張出部１７を挟んで入隅部分１７ａとは反対側においては、隣り合う第３パネル３２ｃの外壁面材３６の側端面同士が対向しており、それら側端面の間の隙間が中間目地１９ｂとされている。中間目地１９ｂには、入隅目地１９ａと同様に、ガスケット５３が設けられている。
【００７２】
第１パネル３２ａ〜第３パネル３２ｃは、跨ぎユニット２０Ａ及び横並びユニット２０Ｂにおいて、いずれも天井大梁２２と床大梁２３とに掛け渡されており、これら大梁２２，２３の屋外側面に重ねられた状態でビス等により固定されている。第１パネル３２ａ〜第３パネル３２ｃの各外壁下地３５は、いずれも枠状の外壁フレームとされており、外壁下地３５は、壁高さ方向に延びている縦フレーム材５８と、縦フレーム材５８の上端部に接続されている横フレーム材５９とを有している。縦フレーム材５８及び横フレーム材５９は、いずれも軽量溝形鋼により形成されており、接続金具や溶接等により互いに接続されている。縦フレーム材５８は、その溝部を隣の縦フレーム材５８に向けて設けられており、横フレーム材５９は、その溝部を下方に向けて設けられている。
【００７３】
第２パネル３２ｂ及び第３パネル３２ｃには、傾斜屋根部１３ｂの傾斜角度やパラペット１３ｃの傾斜側本体部４８の位置に合わせて、上端部が下方に向けて凹んだ凹み部が形成されている。これにより、第２パネル３２ｂ及び第３パネル３２ｃにおいては、外壁面材３６の上端部が傾斜屋根部１３ｂの「けらば」及びパラペット１３ｃの傾斜側本体部４８の上端部に沿って延びている。また、第２パネル３２ｂ及び第３パネル３２ｃにおいては、外壁部１６より上方に突出した部分（傾斜側本体部４８に含まれる部分）の幅寸法が、外壁部１６に含まれる部分の幅寸法より小さくされている。
【００７４】
この場合、パラペット本体４３の側端部（傾斜側本体部４８においてパラペット境界線Ｘとは反対側の側端部）が、第２パネル３２ｂや第３パネル３２ｃの幅方向の中間位置から上方に向けて延びた状態になっており、この側端部に上下に重なる位置には外壁部１６及びパラペット１３ｃのいずれにおいても目地が形成されていない。このように、複数の外壁面材３６を横並びに張ることで形成される目地が、パラペット本体４３の側端部に上下に連続しない位置に形成されていることで、パラペット本体４３の側端部に上下に重なる位置において外壁部１６の目地の上端部に対して行う防水処理が煩雑になるということを回避できる。
【００７５】
跨ぎユニット２０Ａ及び横並びユニット２０Ｂにおいては、壁厚み方向において、天井大梁２２及び床大梁２３の各屋外側面が、柱２１の屋外側面より屋内側に配置されている。このため、第１パネル３２ａ〜第３パネル３２ｃの外壁下地３５は、天井大梁２２及び床大梁２３の各屋外側面に重ねられていることで、隣り合う柱２１の間に配置されている。外壁下地３５においては、横フレーム材５９が天井大梁２２より高い位置に配置されており、縦フレーム材５８が天井大梁２２の屋外側面に当接した状態でその天井大梁２２に固定されている。この場合、縦フレーム材５８は、壁厚み方向において柱２１の屋外側面より屋外側に突出していることで、柱２１の屋外側面を壁厚み方向に跨いだ状態になっている。
【００７６】
なお、天井大梁２２が上梁に相当し、床大梁２３が下梁に相当する。
【００７７】
図６に示すように、パラペット本体４３は、ユニット躯体３１（建物躯体）に対して固定されたパラペット下地６１と、そのパラペット下地６１を挟んで対向している一対のパラペット面材６２，６３と、これらパラペット下地６１及びパラペット面材６２，６３を上方から覆っているパラペット防水シート６４とを有している。パラペット面材６２，６３は、いずれもパラペット１３ｃの壁面を形成する外装材とされている。
【００７８】
一対のパラペット面材６２，６３のうち、パラペット下地６１の外側（建物１０の外周側）に設けられた外側パラペット面材６２は、外壁面材３６におけるユニット躯体３１（外壁部１６）より上方に突出した部分であり、陸屋根部１３ａ側に設けられた内側パラペット面材６３は、鋼材に耐水皮膜が付与された防水板とされている。内側パラペット面材６３は、パラペット下地６１の側面を形成している部分に加えて、屋根防水シート４１の下側に入り込んだ状態で屋根パネル３３の上面に重ねられた部分を有している。この場合、内側パラペット面材６３は、屋根パネル３３とパラペット下地６１とに掛け渡された状態で設けられており、それによって、屋根パネル３３とパラペット下地６１との境界部からの雨水等の浸入が抑制される。
【００７９】
パラペット防水シート６４は、パラペット下地６１及びパラペット面材６２，６３を壁厚み方向に跨いだ状態で、外側パラペット面材６２の仕上面と内側パラペット面材６３の仕上面とに重ねられている。この場合、パラペット防水シート６４がパラペット本体４３の上端面を形成しており、笠木ホルダ４５はパラペット防水シート６４の上に載せられている。
【００８０】
パラペット下地６１は、壁幅方向に沿って横並びに設けられた複数のフレーム部６５と、それらフレーム部６５と内側パラペット面材６３との間に設けられた下地板６６とを有している。下地板６６は合板により形成されており、隣り合うフレーム部６５に掛け渡された状態で、それらフレーム部６５のそれぞれに対してビス等により固定されている。内側パラペット面材６３は、陸屋根部１３ａ側から下地板６６に重ねられており、その下地板６６に対してビス等により固定されている。
【００８１】
図３、図４に示すように、張出部１７の入隅部分１７ａ側において、パラペット本体４３の複数のフレーム部６５には、陸側本体部４７に含まれた陸側フレーム部６５ａと、傾斜側本体部４８に含まれた傾斜側フレーム部６５ｂと、これら陸側フレーム部６５ａと傾斜側フレーム部６５ｂとを連結する連結フレーム部６５ｃとが含まれている。陸側フレーム部６５ａは、第１パネル３２ａの外壁下地３５が外壁部１６（ユニット躯体３１）より上方に突出した部分であり、傾斜側フレーム部６５ｂは、第１パネル３２ａの外壁下地３５が外壁部１６より上方に突出した部分である。
【００８２】
なお、陸側本体部４７が第１壁部に相当し、傾斜側本体部４８が第２壁部に相当する。また、陸側フレーム部６５ａが第１壁下地に相当し、傾斜側フレーム部６５ｂが第２壁下地に相当し、連結フレーム部６５ｃが連結下地に相当する。陸側本体部４７においては、第１パネル３２ａの外側パラペット面材６２と内側パラペット面材６３とが一対の第１壁面材に相当し、特に内側パラペット面材６３が内側第１壁面材に相当する。傾斜側本体部４８においては、第２パネル３２ｂの外側パラペット面材６２と内側パラペット面材６３とが一対の第２壁面材に相当し、特に内側パラペット面材６３が内側第２壁面材に相当する。
【００８３】
連結フレーム部６５ｃは、跨ぎユニット２０Ａと横並びユニット２０ＢとのドッキングラインＤＬを跨いだ状態で、それらユニット２０Ａ，２０Ｂの各ユニット躯体３１の上に設けられている。この場合、連結フレーム部６５ｃは、パラペット境界線Ｘが延びる方向において陸側フレーム部６５ａに横並びに配置され、且つドッキングラインＤＬが延びる方向において傾斜側フレーム部６５ｂに横並びに配置されている。
【００８４】
連結フレーム部６５ｃは、連結プレート３９の上に設けられており、その連結プレート３９の上面に対して固定されている。この場合、連結フレーム部６５ｃと連結プレート３９とが一体的にユニット化されていることで、連結ユニット６８が形成されている。このため、連結ユニット６８の取り付け作業を行うことで、連結プレート３９を用いて跨ぎユニット２０Ａと横並びユニット２０Ｂとを連結する作業と、連結フレーム部６５ｃを跨ぎユニット２０Ａ及び横並びユニット２０Ｂの各ユニット躯体３１に対して固定する作業の両方を行うことになる。
【００８５】
連結フレーム部６５ｃは、連結プレート３９の上に立設された脚部７１と、その脚部７１から陸側フレーム部６５ａに向けて延びている腕部７２とを有しており、全体として略Ｌ字状に形成されている。脚部７１及び腕部７２は、いずれも軽量溝形鋼により形成されており、接続金具や溶接等により互いに接続されている。脚部７１は、溝部を陸側フレーム部６５ａ側に向けて設けられ、腕部７２は、溝部を下方に向けて設けられている。脚部７１は、跨ぎユニット２０Ａの水平梁部２２ａの上方に配置されていることで、ドッキングラインＤＬの跨ぎユニット２０Ａ側においてパラペット境界線Ｘの陸屋根部１３ａ側に配置されている。腕部７２は、パラペット境界線Ｘの陸屋根部１３ａ側に配置され、ドッキングラインＤＬを跨いだ状態になっている。
【００８６】
連結フレーム部６５ｃにおいては、腕部７２の先端部が陸側フレーム部６５ａの横フレーム材５９及び縦フレーム材５８に接続されている。また、脚部７１及び腕部７２の側面部が傾斜側フレーム部６５ｂの横フレーム材５９及び縦フレーム材５８に接続されている。
【００８７】
第１パネル３２ａにおいては、第１側面１８ａを形成する外壁面材３６が陸側フレーム部６５ａと連結フレーム部６５ｃとに掛け渡された状態で設けられており、この外壁面材３６は、陸側フレーム部６５ａ及び連結フレーム部６５ｃの両方にビス等により固定されている。この場合、ドッキングラインＤＬが延びる方向において、連結フレーム部６５ｃの厚み寸法は、陸側フレーム部６５ａの厚み寸法と同じにされており、連結フレーム部６５ｃには外壁面材３６（外側パラペット面材６２）及び内側パラペット面材６３の両方がビス等により固定されている。具体的には、連結フレーム部６５ｃにおいて、腕部７２には外側パラペット面材６２及び内側パラペット面材６３が固定されている一方で、脚部７１には、内側パラペット面材６３が固定されている。
【００８８】
なお、陸側フレーム部６５ａに固定された内側パラペット面材６３は、連結フレーム部６５ｃと陸側フレーム部６５ａとの境界部を跨いだ状態で設けられており、連結フレーム部６５ｃにもビス等により固定されている。また、傾斜側フレーム部６５ｂに固定された内側パラペット面材６３は、連結フレーム部６５ｃと傾斜側フレーム部６５ｂとの境界部を跨いだ状態で設けられており、連結フレーム部６５ｃにもビス等により固定されている。
【００８９】
連結フレーム部６５ｃの腕部７２の上面、及び傾斜側フレーム部６５ｂの横フレーム材５９の上面は、陸側フレーム部６５ａの横フレーム材５９の上面と同じ高さ位置に配置されており、これら上面はいずれも水平方向に延びている。この場合、パラペット本体４３において、陸側本体部４７の上端面と傾斜側本体部４８の上端面とが同一平面を形成しているため、これら上端面と笠木４４との離間距離が同じになる。このため、陸側本体部４７と傾斜側本体部４８とで仕様の異なる笠木ホルダ４５を使い分けなくても、これら陸側本体部４７及び傾斜側本体部４８に対して同一の仕様の笠木ホルダ４５を用いることで、笠木４４を陸側本体部４７及び傾斜側本体部４８のそれぞれに固定することが可能になる。
【００９０】
張出部１７を挟んで入隅部分１７ａとは反対側においては、入隅部分１７ａ側と同様に、複数のフレーム部６５に陸側フレーム部６５ａと傾斜側フレーム部６５ｂとが含まれている一方で、連結フレーム部６５ｃは含まれておらず、陸側フレーム部６５ａと傾斜側フレーム部６５ｂとが連結フレーム部６５ｃを介さずに直接的に接続されている。陸側フレーム部６５ａ及び傾斜側フレーム部６５ｂは、いずれも第３パネル３２ｃの外壁下地３５が外壁部１６より上方に突出した部分である。
【００９１】
また、中間目地１９ｂ側においても、傾斜側フレーム部６５ｂの横フレーム材５９の上面は、陸側フレーム部６５ａの横フレーム材５９の上面と同じ高さ位置に配置されており、これら上面はいずれも水平方向に延びている。この場合、入隅目地１９ａ側と同様に、中間目地１９ｂの上端部を覆う笠木４４を、同一の仕様の笠木ホルダ４５を介して陸側本体部４７の上端面及び傾斜側本体部４８の上端面のそれぞれに固定することが可能となる。
【００９２】
次に、建物１０の構築手順について説明する。まず、工場において建物ユニット２０を製造する工程を行う。この工程では、跨ぎユニット２０Ａ及び横並びユニット２０Ｂのそれぞれについて、ユニット躯体３１に外壁パネル３２及び屋根パネル３３を工場にて取り付ける。この場合、外壁パネル３２を取り付けることで、第１パネル３２ａ〜第３パネル３２ｃも取り付けることになる。ここで、跨ぎユニット２０Ａ及び横並びユニット２０Ｂにおいては、連結フレーム部６５ｃや屋根防水シート４１などが取り付けられていないことで、柱２１の上端部が上方に露出した状態になっている。なお、跨ぎユニット２０Ａについては、水平梁部２２ａの上にスペーサ部材３９ａを取り付けておく。また、跨ぎユニット２０Ａにおいては、ユニット躯体３１に外壁パネル３２を取り付けることで中間目地１９ｂを形成することになり、その中間目地１９ｂにはガスケット５３を押し込んで取り付けておく。
【００９３】
その後、外壁パネル３２及び屋根パネル３３が取り付けられた状態の跨ぎユニット２０Ａ及び横並びユニット２０Ｂを工場から建築現場に運搬する。跨ぎユニット２０Ａ及び横並びユニット２０Ｂを建築現場に運搬した後、それらユニット２０Ａ，２０Ｂをクレーン等の重機を用いて吊り上げることで、一階部分１４の建物ユニット２０の上に設置する工程を行う。ここで、横並びユニット２０Ｂの柱２１の上端部には、横並びユニット２０Ｂを吊り上げる際に吊り上げ具のフック等を引っ掛けるための引っ掛け孔が設けられている。この引っ掛け孔は、柱２１の上端面において、連結ユニット６８が設置される位置に設けられており、屋根１３が構築された状態では、連結ユニット６８の連結プレート３９により上方から覆われている。
【００９４】
跨ぎユニット２０Ａ及び横並びユニット２０Ｂを一階部分１４の上に設置した後、連結ユニット６８の連結プレート３９を跨ぎユニット２０Ａのスペーサ部材３９ａと横並びユニット２０Ｂの柱２１とに固定することで、これら跨ぎユニット２０Ａと横並びユニット２０Ｂとを連結する。そして、連結ユニット６８の連結フレーム部６５ｃを、跨ぎユニット２０Ａの第２パネル３２ｂの傾斜側フレーム部６５ｂと横並びユニット２０Ｂの第１パネル３２ａの陸側フレーム部６５ａとのそれぞれに接続する。その後、入隅目地１９ａにガスケット５３を押し込んで取り付ける。
【００９５】
なお、別の連結プレート３９を用いて、これらユニット２０Ａ，２０Ｂの柱２１同士も連結する。
【００９６】
その後、連結フレーム部６５ｃ、陸側フレーム部６５ａ及び傾斜側フレーム部６５ｂに、下地板６６や内側パラペット面材６３、パラペット防水シート６４などを取り付けることでパラペット下地６１を構築し、そのパラペット下地６１に笠木ホルダ４５や笠木４４を取り付けることでパラペット１３ｃを構築する。これにより、工場であらかじめ形成した中間目地１９ｂに加えて、建築現場で形成した入隅部分１７ａの上端部を笠木４４で上方から覆うことができる。
【００９７】
また、屋根パネル３３の上に屋根防水シート４１を敷設することで陸屋根部１３ａを構築する。
【００９８】
以上、詳述した本実施形態の構成によれば、以下の優れた効果が得られる。
【００９９】
陸屋根部１３ａと傾斜屋根部１３ｂとの境界部を跨がない状態で外壁面材３６（外側パラペット面材６２）が配置されているため、パラペット１３ｃにおいて陸側本体部４７と傾斜側本体部４８とを異なる工程で製作することが可能になる。このため、横並びユニット２０Ｂに設置された陸側本体部４７と、跨ぎユニット２０Ａに設置された傾斜側本体部４８とが接続されたパラペット本体４３を構築する場合に、ユニット躯体３１に対する外壁面材３６の取り付け作業を横並びユニット２０Ｂと跨ぎユニット２０Ａとで別々に行うことができる。したがって、外壁部１６及びパラペット１３ｃを構築する際の施工手順に関して自由度を高めることができ、その結果、建築現場での作業負担を低減することが可能となる。
【０１００】
パラペット本体４３が陸屋根部１３ａと傾斜屋根部１３ｂとの境界部を跨いだ状態で設けられているため、外壁入隅目地５１や外壁中間目地５５の上方にパラペット入隅目地５２やパラペット中間目地５６を配置することができる。したがって、パラペット入隅目地５２の上端部やパラペット中間目地５６の上端部を笠木４４で覆うことにより、外壁入隅目地５１の上端部や外壁中間目地５５の上端部に防水性を付与することができる。
【０１０１】
例えば、パラペット本体４３が傾斜屋根部１３ｂ側に設けられていない構成では、外壁入隅目地５１の上端部や外壁中間目地５５の上端部が陸屋根部１３ａと傾斜屋根部１３ｂとの境界部において上方に露出することになる。この場合、ガスケット５３の長孔が上方に向けて開放された状態になるため、ガスケット５３の長孔を塞ぐ処理を外壁入隅目地５１や外壁中間目地５５の上端部に対して施すという専用の防水処理を行う必要が生じ、屋根１３に対する防水処理の作業負担が増加してしまう。これに対して、本実施形態では、屋根１３に対する防水処理を行う際の作業負担を低減できる。
【０１０２】
外壁面材３６が外壁部１６及びパラペット１３ｃの両方に含まれているため、２つの外壁面材３６を横並びに取り付けるという容易な作業により、外壁入隅目地５１の上にパラペット入隅目地５２を形成することや、外壁中間目地５５の上にパラペット中間目地５６を形成することができる。
【０１０３】
パラペット１３ｃが外壁入隅目地５１を跨いだ状態で設けられているため、入隅部分１７ａにおいて第１パネル３２ａ及び第２パネル３２ｂを設置するという必須の作業により、外壁入隅目地５１の上方にパラペット入隅目地５２を形成することができる。
【０１０４】
入隅目地１９ａは、跨ぎユニット２０Ａと横並びユニット２０Ｂとの境界部に配置されているため、外壁入隅目地５１に対するパラペット入隅目地５２の位置合わせなど特別な作業を行わなくても、跨ぎユニット２０Ａ及び横並びユニット２０Ｂを設置するというユニット式建物を構築するために必須の作業により、外壁入隅目地５１の上にパラペット入隅目地５２を配置することができる。
【０１０５】
連結フレーム部６５ｃにより陸側フレーム部６５ａと傾斜側フレーム部６５ｂとが連結されているため、陸側フレーム部６５ａ及び傾斜側フレーム部６５ｂに固定された各外側パラペット面材６２が相対的に移動することを抑制できる。このため、入隅目地１９ａや中間目地１９ｂにおいて、外壁面材３６とガスケット５３との密着性が低下するということを抑制できる。
【０１０６】
連結ユニット６８においては、連結フレーム部６５ｃと連結プレート３９とが一体化されているため、跨ぎユニット２０Ａと横並びユニット２０Ｂとの連結作業、及び陸側フレーム部６５ａと傾斜側フレーム部６５ｂとの連結作業、建物躯体に対する連結フレーム部６５ｃの固定作業について、作業工数を低減できる。しかも、連結プレート３９を跨ぎユニット２０Ａ及び横並びユニット２０Ｂの各ユニット躯体３１に固定することで、連結フレーム部６５ｃの位置合わせを行うことができる。
【０１０７】
跨ぎユニット２０Ａにおいて、連結プレート３９が水平梁部２２ａの上に重ねられているため、例えば傾斜梁部２２ｂの上に重ねられた構成とは異なり、連結プレート３９やスペーサ部材３９ａを傾斜梁部２２ｂの傾斜角度に合わせて特殊な形状に加工するという必要がない。このため、連結ユニット６８において連結プレート３９と連結フレーム部６５ｃとが一体化されていても、連結プレート３９が特殊な形状になっている構成に比べて、連結プレート３９の固定に際して連結フレーム部６５ｃが支障になることを抑制できる。
【０１０８】
パラペット１３ｃにおいては、連結フレーム部６５ｃに内側パラペット面材６３が固定されているため、連結フレーム部６５ｃとは別に専用の下地を構築する構成に比べて、内側パラペット面材６３の固定作業を容易化できる。
【０１０９】
［他の実施形態］
本発明は上記実施形態の記載内容に限定されず、例えば次のように実施されてもよい。
【０１１０】
（１）上記実施形態では、第２パネル３２ｂの傾斜側フレーム部６５ｂと第１パネル３２ａの陸側フレーム部６５ａとが連結フレーム部６５ｃを介して連結されていたが、これら傾斜側フレーム部６５ｂと陸側フレーム部６５ａとは、２つの第３パネル３２ｃが隣り合う部分（中間目地１９ｂ）のように、連結フレーム部６５ｃを介さずに直接的に連結されていてもよい。この場合でも、第１パネル３２ａの外壁面材３６と第２パネル３２ｂの外壁面材３６との間には入隅目地１９ａが形成されることになる。
【０１１１】
また、２つの第３パネル３２ｃが隣り合う部分においても、第１パネル３２ａと第２パネル３２ｂとが隣り合う部分（入隅目地１９ａ）のように、陸側フレーム部６５ａと傾斜側フレーム部６５ｂとが連結フレーム部６５ｃにより連結されていてもよい。
【０１１２】
（２）上記実施形態では、パラペット本体４３において、傾斜側本体部４８の上面と陸側本体部４７の上面とが同一平面上に配置されていたが、傾斜側本体部４８の上面は、陸側本体部４７の上面とは異なる高さ位置に配置されていてもよく、陸側本体部４７の上面に対して傾斜していてもよい。この場合でも、笠木４４が傾斜側本体部４８と陸側本体部４７とに掛け渡されていることで、入隅目地１９ａや中間目地１９ｂの上端部が笠木４４の溝部内に入り込んだ構成を実現できる。
【０１１３】
（３）上記実施形態では、複数の建物ユニット２０に、水平部分３０ａ及び傾斜部分３０ｂの両方を有する跨ぎユニット２０Ａを含まれていたが、跨ぎユニット２０Ａは含まれていなくてもよい。例えば、隣り合う建物ユニット２０のうち、一方が傾斜部分３０ｂを有する傾斜ユニットとされ、これら建物ユニット２０の境界部が陸屋根部１３ａと傾斜屋根部１３ｂとの境界部にされた構成とする。この構成では、ドッキングラインＤＬをパラペット境界線Ｘとが一致することになり、中間目地１９ｂが隣り合う建物ユニット２０の境界部に配置されることになる。また、この構成では、陸屋根部１３ａと傾斜屋根部１３ｂとの並び方向において、傾斜ユニットの隣に配置された建物ユニット２０のユニット躯体３１の上に連結フレーム部６５ｃが設置されることになる。
【０１１４】
（４）上記実施形態では、隣り合う２つの建物ユニット２０（跨ぎユニット２０Ａ及び横並びユニット２０Ｂ）により入隅部分１７ａが形成されていたが、入隅部分１７ａは、１つの建物ユニット２０において形成されていてもよい。この場合、１つの建物ユニット２０が、第１パネル３２ａ及び第２パネル３２ｂの両方を有していることになる。
【０１１５】
（５）上記実施形態では、陸側フレーム部６５ａ及び傾斜側フレーム部６５ｂが外壁パネル３２の外壁下地３５により形成されていたが、これら陸側フレーム部６５ａや傾斜側フレーム部６５ｂは、外壁パネル３２の外壁下地３５とは別の独立したフレーム部として設けられていてもよい。この構成としては、陸側フレーム部６５ａや傾斜側フレーム部６５ｂが外壁パネル３２の外壁下地３５の上方位置に設けられた構成や、陸側フレーム部６５ａや傾斜側フレーム部６５ｂがユニット躯体３１（天井大梁２２や柱２１）の上に設置された構成が挙げられる。
【０１１６】
（６）上記実施形態では、外壁部１６に含まれる外壁面材３６が外側パラペット面材６２を形成していたが、外側パラペット面材６２は、外壁面材３６とは異なる外装材により形成されていてもよい。つまり、建物１０の外周面が、外壁部１６とパラペット１３ｃとで別々の壁面材により形成されていてもよい。例えば、外壁部１６とパラペット１３ｃとの境界部に、壁幅方向に延びる横目地が形成された構成とする。この構成でも、外壁入隅目地５１や外壁中間目地５５からパラペット入隅目地５２やパラペット中間目地５６が上方に延びていれば、パラペット入隅目地５２及びパラペット中間目地５６の上端部を覆う笠木４４により、外壁入隅目地５１や外壁中間目地５５の各上端部にも防水性を付与できる。
【０１１７】
（７）上記実施形態では、第１パネル３２ａの外側パラペット面材６２が連結フレーム部６５ｃに固定されていたが、連結フレーム部６５ｃには、第１パネル３２ａの外側パラペット面材６２とは別の外側パラペット面材が取り付けられていてもよい。この場合でも、連結フレーム部６５ｃに取り付けられた外側パラペット面材６２と第２パネル３２ｂの外側パラペット面材６２との境界部に入隅目地１９ａが形成されることになる。
【０１１８】
（８）本実施形態では、第１壁部としての陸側本体部４７と、第２壁部としての傾斜側本体部４８とを含んでパラペット１３ｃが構成されていたが、これら陸側本体部４７と傾斜側本体部４８とを含んで屋根１３や屋上の手摺壁や腰壁が形成されていてもよい。
【符号の説明】
【０１１９】
１０…建物、１２…建物本体、１３…屋根、１３ａ…陸屋根部、１３ｂ…傾斜屋根部、１６…外壁部、１７ａ…入隅部分、１９ａ…縦目地としての入隅目地、２０…建物ユニット、２０Ａ…第２ユニットとしての跨ぎユニット、２０Ｂ…第１ユニットとしての横並びユニット、３１…ユニット躯体、３６…壁面材としての外壁面材、３９…連結プレート、４４…笠木部としての笠木、４７…第１壁部としての陸側本体部、４８…第２壁部としての傾斜側本体部、６３…内側第１壁面材及び内側第２壁面材としての内側パラペット面材、６５ａ…第１壁下地としての陸側フレーム部、６５ｂ…第２壁下地としての傾斜側フレーム部、６５ｃ…連結下地としての連結フレーム部、７１…脚部、７２…腕部。
【図１】
2015175210.tif 000003
【図２】
2015175210.tif 000004
【図３】
2015175210.tif 000005
【図４】
2015175210.tif 000006
【図５】
2015175210.tif 000007
【図６】
2015175210.tif 000008